(57)【要約】【課題】法面等を有する地盤内に埋設される水抜きパイプであって、排水性及び強度が高く、比較的容易に製造でき、土砂の流入が防止された水抜きパイプを提供する。【解決手段】水抜きパイプ１は、筒部２と、筒部２内に充填された導水材３とを有する。筒部２は、軸線回りに螺旋状に巻回され、かつ該軸線方向に互いに隣り合う部分が互いに離間した鋼製の螺旋部材５と、軸線に平行にかつ互いに間隔をおいて配置され、螺旋部材５の外周側に固定された鋼製の複数の長尺材４とを有する。筒部２がグリッド状に形成されるため、排水性が高く、鋼製であるため強度も高い。【選択図】図１
2020045632.tif 000002
【特許請求の範囲】
【請求項１】
地盤内に埋設される水抜きパイプであって、
軸線回りに螺旋状に巻回され、かつ該軸線方向に互いに隣り合う部分が互いに離間した鋼製の螺旋部材、及び、前記軸線に平行にかつ互いに間隔をおいて前記螺旋部材の外周側に固定された鋼製の複数の長尺材を有する筒部と、
前記筒部内に充填された空隙を有する導水材とを有することを特徴とする水抜きパイプ。
【請求項２】
前記螺旋部材は、前記軸線方向から見て所定の径を有する円周形状をなし、
外周面に設けられたねじ溝に前記螺旋部材の端部が螺合した中空管からなる連結部を更に有することを特徴とする請求項１に記載の水抜きパイプ。
【請求項３】
請求項１又は２に記載の水抜きパイプの施工方法であって、
前記筒部よりも外径の大きな円環状をなして前面に周方向に沿って配置されたビットを有するヘッドプロテクターの後面に設けられた溝に、前記筒部の内側に配置された円筒状のサポートパイプの前端側に設けられた凸部を挿入して、前記ヘッドプロテクターの前記サポートパイプに対する周方向の回転が規制されるように前記ヘッドプロテクターを前記サポートパイプに取り付けるステップと、
前記ヘッドプロテクター及び前記サポートパイプを周方向に回転させながら前記地盤中を前進させるステップと、
前記筒部を前進させるステップと、
前記サポートパイプの前端側に侵入した前記地盤を削孔するステップと、
前記ヘッドプロテクターを前記地盤内に残置させて、前記サポートパイプを後退させるステップとを有することを特徴とする水抜きパイプの施工方法。
【請求項４】
前記サポートパイプは、外周面が閉塞しており、
前記地盤を削孔するステップは、水削孔によりなされることを特徴とする請求項３に記載の水抜きパイプの施工方法。
【発明の詳細な説明】
【技術分野】
【０００１】
本開示は、地盤内に埋設される水抜きパイプ及びその施工方法に関する。
【背景技術】
【０００２】
法面等の側面を有する地盤には、地盤内に浸透した水を側面から排水して地盤を安定させるために水抜きパイプが埋設される。水抜きパイプの周壁には孔が設けられており、地盤内に浸透した水はこの孔から水抜きパイプに浸入して外部に排出される。地盤に浸透した水は、地盤内に均等に分布しているのではなく、特定の通り道に沿って流れている。水抜きパイプの孔がこの水の通り道にぶつかる確率が高くなるように、水抜きパイプの孔を大きくし、孔の数を多くすることが求められている。
【０００３】
例えば、特許文献１には、網状の高密度ポリエチレン製の排水管を不織布フィルタ及びジオテキスタイルネットで覆った水抜きパイプが記載されている。この水抜きパイプは、スリットを有する薄肉鋼管内に配置される。また、特許文献２には、円周上に間隔をおいて互いに平行に配置された鉄筋に、断面三角形の線材をわずかな間隙をもって螺旋状に巻きつけて形成した水抜きパイプが記載されている。線材を円周上に配置された複数の鉄筋に巻きつけるため、鉄筋の延在方向から見て、線材は円周形状ではなく多角形状をなす。線材の断面三角形のフラットな外面が先端側に傾いた状態で、線材の頂点が鉄筋に溶接される。このように螺旋状に巻かれて断面の傾斜した線材が鉄筋の外側に配置されているため、水抜きパイプの地中への打ち込みが容易であり、打ち込み時に土砂が線材間の間隙に入り難い。
【先行技術文献】
【特許文献】
【０００４】
【特許文献１】特開２０１８−２１３８３号公報
【特許文献２】特開平４−１９４２２６号公報
【発明の概要】
【発明が解決しようとする課題】
【０００５】
特許文献１に記載の水抜きパイプは、薄肉鋼管内に配置されるものであり、薄肉鋼管のスリットに水の通り道がぶつかる確率が低く、排水が不十分になるおそれがあった。また、鋼管内に配置するのではなく、単独で地盤内に埋設すると強度が不足するおそれがあった。特許文献２に記載の水抜きパイプは、孔（間隙）に水の通り道がぶつかる確率が高いが、使用中に土砂がパイプ内に流入するおそれがあった。また、断面三角形の線材の向きを定めて線材を複数の鉄筋に溶接する必要があるため、その製造が煩雑であった。
【０００６】
このような問題に鑑み、本発明は、排水性及び強度が高く、比較的容易に製造でき、土砂の流入が防止された水抜きパイプ、並びにその施工方法を提供することを目的とする。
【課題を解決するための手段】
【０００７】
本発明の少なくともいくつかの実施形態は、地盤内に埋設される水抜きパイプ（１）であって、軸線回りに螺旋状に巻回され、かつ該軸線方向に互いに隣り合う部分が互いに離間した鋼製の螺旋部材（５）、及び、前記軸線に平行にかつ互いに間隔をおいて前記螺旋部材の外周側に固定された鋼製の複数の長尺材（４）を有する筒部（２）と、前記筒部内に充填された導水材（３）とを有することを特徴とする。
【０００８】
この構成によれば、筒部の表面がグリッド状になり、孔が大きくかつ多くなるため、排水性が向上する。また、筒部が鋼製であるため、強度が高く、螺旋部材の断面角度等に限定がないため、比較的容易に筒部を製造できる。更に、筒部には導水材が充填されているため、土砂が水抜きパイプ内に流入することを防止できる。
【０００９】
本発明の少なくともいくつかの実施形態は、上記構成において、前記螺旋部材は、前記軸線方向から見て所定の径を有する円周形状をなし、外周面に設けられたねじ溝（７）に前記螺旋部材の端部が螺合した中空管からなる連結部（６）を更に有することを特徴とする。
【００１０】
この構成によれば、筒部を容易に連結できる。また、連結部が筒部の内側に配置されるため、水抜きパイプを挿入するための孔の削孔径を連結部の外径ではなく筒部の外径に基づいて設定でき、地盤と水抜きパイプとの間に過大な隙間が生じることを防止できる。
【００１１】
本発明の少なくともいくつかの実施形態は、上記構成を有する水抜きパイプの施工方法であって、前記筒部よりも外径の大きな円環状をなして前面に周方向に沿って配置されたビット（８）を有するヘッドプロテクター（９）の後面に設けられた溝（１２）に、前記筒部の内側に配置された円筒状のサポートパイプ（１０）の前端側に設けられた凸部（１１）を挿入して、前記ヘッドプロテクターの前記サポートパイプに対する周方向の回転が規制されるように前記ヘッドプロテクターを前記サポートパイプに取り付けるステップと、前記ヘッドプロテクター及び前記サポートパイプを周方向に回転させながら前記地盤中を前進させるステップと、前記筒部を前進させるステップと、前記サポートパイプの前端側に侵入した前記地盤を削孔するステップと、前記ヘッドプロテクターを前記地盤内に残置させて、前記サポートパイプを後退させるステップとを有することを特徴とする。
【００１２】
この構成によれば、自立性の低い地盤に対して、水抜きパイプを設置できる。
【００１３】
本発明の少なくともいくつかの実施形態は、上記構成において、前記サポートパイプは、外周面が閉塞しており、前記地盤を削孔するステップは、水削孔によりなされることを特徴とする。
【００１４】
この構成によれば、水削孔を行っても、サポートパイプの外側には水が放出されないため、水抜きパイプの設置箇所の周囲の地盤を弛めずに削孔できる。
【発明の効果】
【００１５】
本発明によれば、排水性及び強度が高く、比較的容易に製造でき、土砂の流入が防止された水抜きパイプ、並びにその施工方法を提供できる。
【図面の簡単な説明】
【００１６】
【図１】実施形態に係る水抜きパイプ及びその構成部材を示す正面図（Ａ：長尺材、Ｂ：螺旋部材、Ｃ：水抜きパイプ）
【図２】実施形態に係る水抜きパイプの筒部の連結を示す正面図（導水材の図示は省略）
【図３】実施形態に係る水抜きパイプの施工のためのヘッドプロテクターを示す図（Ａ：前方から見た図、Ｂ：後方から見た図、Ｃ：Ａ図におけるＣ−Ｃ断面図）
【図４】実施形態に係る水抜きパイプの施工のためのサポートパイプを示す図（Ａ：前方から見た図、Ｂ：正面図）
【図５】実施形態に係る水抜きパイプの施工手順を示す図
【発明を実施するための形態】
【００１７】
以下、図面を参照して、本発明の実施形態に係る水抜きパイプ１を説明する。水抜きパイプ１は、法面等の斜面を有する地盤内に埋設され、地盤に浸透した水を排出するものである。図１（Ｃ）に示すように、水抜きパイプ１は、筒部２と、筒部２内に充填された導水材３とを有する。筒部２は、図１（Ａ）に示す互いに平行に配置された複数の長尺材４と、図１（Ｂ）に示す螺旋部材５とを有する。
【００１８】
長尺材４は、真っ直ぐに延在する鋼材であり、耐腐食加工がなされている。互いに平行に配置された複数の長尺材４は、その延在方向から見て円周上に、互いに間隔をおいて配置される。例えば、長尺材４として、直径３ｍｍ程度の丸鋼を用いる、１２本の長尺材４を互いに等間隔に円周上に配置してもよい。
【００１９】
螺旋部材５は、長尺の鋼材を長尺材４の延在方向に平行な軸線回りに螺旋状に巻回して形成された部材であり、耐腐食加工がなされている。螺旋部材５において軸線方向に互いに隣り合う部分は、互いに離間している。また、螺旋部材５は、軸線方向から見て所定の径を有する円周形状をなす。例えば、螺旋部材５は、縦２ｍｍ、横３ｍｍの角形の長尺の鋼材を、外径４４ｍｍ、内径３８ｍｍとなるように、１０．２ｍｍピッチで螺旋状に巻回して形成してもよい。
【００２０】
図１（Ｃ）に示すように、螺旋部材５の外周側に長尺材４を溶接等により固定することによって、グリッド状構造の筒部２が形成される。グリッド状構造であることから、筒部２に形成された孔は大きく、その数も多い。そのため、筒部２の孔が水の通り道にぶつかる確率が高く、かつ孔が詰まり難く、排水性が高まる。また、長尺材４及び螺旋部材５が鋼材からなるため、強度が高い。また、螺旋部材５の断面が長尺材４に対してなす角度は限定されないため、筒部２の製造が比較的容易である。
【００２１】
導水材３は、水を通過させるが土砂等を通過させない空隙を有する部材であり、例えば、ガラスウールをその素材とすることができる。筒部２内に導水材３が充填されるため、使用中に土砂が筒部２内に流入して水抜きパイプ１が詰まることが抑制される。
【００２２】
図２は、連結部６を有する水抜きパイプ１を示す。なお、図２においては、導水材３の図示を省略している。連結部６は、外周面に螺旋部材５が螺合するねじ溝７が形成された中空管からなる。連結部６の両端部のねじ溝７に対して、それぞれ、筒部２の端部における螺旋部材５が螺合することにより、２つの筒部２が互いに連結される。このように、螺旋部材５がねじとして機能するため、筒部２同士の連結が容易である。
【００２３】
また、筒部２において、螺旋部材５が長尺材４よりも内側に存在し、連結部６の外周面にねじ溝７が形成されているため、連結部６は、筒部２の内側に配置される。そのため、水抜きパイプ１を地盤内に挿入するための削孔径は、筒部２の外径に基づき設定される。仮に、連結部６が筒部２の外側に配置されると、水抜きパイプ１を地盤内に挿入するための削孔径は、連結部６の外径に基づき設定されるが、この場合、削孔径が大きくなって筒部２と地盤との間に隙間が生じて地盤が弛む。本実施形態では、連結部６が筒部２の内側に配置されるため、このような問題は生じない。また、連結部６を鋼製とした場合、連結部６は、孔を有さないため、筒部２よりも剛性が大きく、水抜きパイプ１を地盤に設けられた孔に挿入する時の、挿入抵抗に対する補強部材として機能する。
【００２４】
水抜きパイプ１を地盤内に挿入するために、地盤は削孔される。削孔しても地盤が自立する場合は、必要な長さの孔を設けた後、水抜きパイプ１をその孔に挿入する。地盤の自立性が低い場合の削孔手段の例を説明する。図３及び図４は削孔のための器具を示し、図５は削孔の手順を示す。
【００２５】
図３は、前面にビット８を有する円環状のヘッドプロテクター９を示し、図４は、前端側にヘッドプロテクターが８取り付けられる円筒状のサポートパイプ１０を示す。サポートパイプ１０の周壁は孔を有さずに閉塞しており、前方及び後方は開口している。サポートパイプ１０の周壁の前端側には凹凸が設けられており、その凸部１１は、ヘッドプロテクター９の後面に設けられた溝１２に突入している。凸部１１が溝１２を画成する面に係止されるため、サポートパイプ１０を周方向に回転させるとヘッドプロテクター９も回転する。また、サポートパイプ１０を前進させると、ヘッドプロテクター９も前進するが、サポートパイプ１０を後退させると、凸部１１が溝１２から抜けてヘッドプロテクター９はサポートパイプ１０から分離する。サポートパイプ１０の外径は、筒部２の内径よりも小さく、ヘッドプロテクター９の外径は、筒部２の外径よりも大きい。従って、筒部２の内側にサポートパイプ１０を配置してサポートパイプの前端側にヘッドプロテクター９を取り付けると、前後方向において、筒部２はヘッドプロテクター９に整合するように配置される。
【００２６】
図５（Ａ）は、削孔サイクルの最初の状態を示す。ヘッドプロテクター９が取り付けられたサポートパイプ１０の前端側が、地盤内に突入しており、サポートパイプ１０は、筒部２の内側に配置されている。
【００２７】
サポートパイプ１０を周方向に回転させてビット８で地盤を円環状に削りながら、ヘッドプロテクター９及びサポートパイプ１０を３００〜５００ｍｍ程度前進させる（図５（Ｂ））。この時、筒部２は、移動せず、サポートパイプ１０の前端側に地盤の土砂が侵入する。続いて筒部２を、その前端がヘッドプロテクター９の後面に当接するまで前進させる（図５（Ｃ））。続いて、サポートパイプ１０の前端側に侵入した土砂を削岩機１３により水削孔する（図５（Ｄ））。この時、サポートパイプ１０の周壁に孔がないため、削岩機１３から放出された水はサポートパイプ１０の外側に放出されず、水抜きパイプ１の設置箇所の周辺の地盤を弛めない。スライム状になった土砂を排出し、削岩機１３を後退させる（図５（Ｅ））。以上のサイクルを繰り返して、地盤を削孔する。
【００２８】
目的の深さまで削孔したら、サポートパイプ１０を周方向の逆向きにわずかに回転させて後退させる。すると、ヘッドプロテクター９がサポートパイプ１０から分離し、ヘッドプロテクター９と筒部２とが孔内に残る。ヘッドプロテクター９は孔内に残置され、筒部２に導水材３（図１参照）を充填して、水抜きパイプ１が地盤内に設置される。
【００２９】
以上で具体的実施形態の説明を終えるが、本発明は上記実施形態に限定されることなく幅広く変形実施することができる。長尺材として、棒材に代えてパイプ材を用いてもよい。長尺材及び螺旋部材の断面形状は変更してもよい。長尺材の本数を変更してもよい。
【符号の説明】
【００３０】
１：水抜きパイプ
２：筒部
３：導水材
４：長尺材
５：螺旋部材
６：連結部
７：ねじ溝
８：ビット
９：ヘッドプロテクター
１０：サポートパイプ
１１：凸部
１２：溝
１３：削岩機
【図１】
2020045632.tif 000003
【図２】
2020045632.tif 000004
【図３】
2020045632.tif 000005
【図４】
2020045632.tif 000006
【図５】
2020045632.tif 000007